(57)【要約】【課題】遊技者の興趣を高めつつ、十分に遊技を楽しませることができる弾球遊技機を提供する。【解決手段】パチンコ機は、遊技球が投入される遊技領域が前面側に形成されるとともに、中央近傍に視認開口４５が設けられた透明もしくは半透明材料からなる遊技盤４０と、遊技盤４０の背面側に設けられて、視認開口４５を介して遊技盤４０の前面側に向けて遊技状態に応じた演出画像を表示する液晶表示パネル８０とを有し、遊技盤４０の背面側と液晶表示パネル８０の前面側との間に上下左右に延びて形成された間隙に設けられた装飾看板６１と、上記間隙内において遊技状態に応じて遊技盤４０の背面に沿うように装飾看板６１を移動させる看板駆動装置６０とを備え、看板駆動装置６０により移動されて遊技盤４０の背面側に位置した装飾看板６１が、遊技盤４０を介して前面側から視認可能に構成される。【選択図】  図５
2010046422.tif 000002
【特許請求の範囲】
【請求項１】
遊技球が投入される遊技領域が前面側に形成されるとともに、中央近傍に表示開口部が設けられた透明もしくは半透明材料からなる遊技盤と、
前記遊技盤の背面側に設けられて、前記表示開口部を介して前記遊技盤の前面側に向けて遊技状態に応じた演出画像を表示する表示装置とを有した弾球遊技機において、
前記遊技盤の背面側と前記表示装置の前面側との間に上下左右に延びて形成された間隙に設けられた遊技演出部材と、
前記間隙内において遊技状態に応じて前記遊技盤の背面に沿うように前記遊技演出部材を移動させる移動装置とを備え、
前記移動装置により移動されて前記遊技盤の背面側に位置した前記遊技演出部材が、前記遊技盤を介して前面側から視認可能に構成されたことを特徴とする弾球遊技機。
【請求項２】
前記移動装置は、前記遊技演出部材の周囲を囲むように形成されて前記遊技盤の背面側に取り付けられて構成されており、
前記遊技盤を介して前面側から前記移動装置が視認されないように構成されたことを特徴とする請求項１に記載の弾球遊技機。
【請求項３】
前記遊技演出部材は板状で且つ略矩形に形成され、
前記移動装置は、前記遊技演出部材の左右端部を支持した状態で前記遊技演出部材を上下方向に移動させるように構成されており、
前記遊技演出部材の左右幅が、前記表示開口部の左右幅よりも大きくなるように形成されたことを特徴とする請求項１または２に記載の弾球遊技機。
【請求項４】
前記移動装置は、前記遊技演出部材を下方向に移動させるときに、前記遊技演出部材を自重により落下させて移動させることを特徴とする請求項３に記載の弾球遊技機。
【発明の詳細な説明】
【技術分野】
【０００１】
本発明は、パチンコ機等の弾球遊技機に関する。
【背景技術】
【０００２】
従来、パチンコ機には、遊技球が投入される遊技領域が形成された遊技盤が備えられている。この遊技盤には、多数の遊技釘、風車および入賞口等が設けられており、投入された遊技球が入賞口に入賞した場合、所定の遊技球が払い出されるようになっている。最近においては、遊技状態に応じた演出画像を、例えば液晶表示パネル等の画像表示装置に表示させることにより、遊技者に対する視覚的な演出効果を増大させて興趣を高める工夫がなされている。また、上記画像表示装置に加えて、遊技状態に応じて演出用の可動体を例えば上下に移動させる構成を備え、演出画像による演出とともに可動体の動きによる演出も行わせることで、より一層遊技者の興趣を高めるように構成されたものが提案されている。
【０００３】
このような構成例の一つとして、例えば特許文献１には、第一駆動モータ４７７により上下移動される第一装飾可動体４３０、および第二駆動モータ６３７により上下移動される第二装飾可動体４３２を設け、これらの装飾可動体を相互に関連させて上下移動させる構成が開示されている。遊技者の興趣を高める別の手法として、従来積層合板（ベニア板）を用いて形成していた遊技盤を、例えば透明もしくは半透明な樹脂材料を用いて形成することで、遊技領域が形成された遊技盤の前面側のみならず、遊技盤の背面側も併せて遊技者に積極的に視認させる方法も知られている。従来は、その構成上遊技釘が打ち込まれる領域に対して、例えば積層合板の前面に装飾用のセルシートを貼り付ける程度の装飾しか行えなかったが、遊技盤を透明に形成することにより、遊技釘が打ち込まれる領域を考慮することなく、遊技盤の遊技領域全体に対して電飾等の興趣を高める装飾が可能となる。
【特許文献１】特開２００７−２０２６２２号公報
【発明の開示】
【発明が解決しようとする課題】
【０００４】
ところで、上記特許文献１に開示された構成においては、装飾可動体を上下へ移動させて遊技者に対して一定の視覚的な演出効果を発揮可能ではあるが、主役物（センター役物）２１３の中央部分に開口形成された狭い領域内でしか装飾可動体を上下移動させることができず、装飾可動体の上下移動は迫力に欠けるものとなりやすかった。そのため、遊技者は比較的短時間のうちに装飾可動体の動きに飽きてしまい、興趣を低下させる虞があった。
【０００５】
本発明は、このような問題に鑑みてなされたものであり、遊技者の興趣を高めつつ、十分に遊技を楽しませることができる弾球遊技機を提供することを目的とする。
【課題を解決するための手段】
【０００６】
このような目的を達成するため、本発明に係る弾球遊技機は、遊技球が投入される遊技領域が前面側に形成されるとともに、中央近傍に表示開口部（例えば、実施形態における視認開口４５）が設けられた透明もしくは半透明材料からなる遊技盤と、前記遊技盤の背面側に設けられて、前記表示開口部を介して前記遊技盤の前面側に向けて遊技状態に応じた演出画像を表示する表示装置（例えば、実施形態における液晶表示パネル８０）とを有し、前記遊技盤の背面側と前記表示装置の前面側との間に上下左右に延びて形成された間隙に設けられた遊技演出部材（例えば、実施形態における装飾看板６１）と、前記間隙内において遊技状態に応じて前記遊技盤の背面に沿うように前記遊技演出部材を移動させる移動装置（例えば、実施形態における看板駆動装置６０）とを備え、前記移動装置により移動されて前記遊技盤の背面側に位置した前記遊技演出部材が、前記遊技盤を介して前面側から視認可能に構成される。
【０００７】
なお、上述の発明において、前記移動装置は、前記遊技演出部材の周囲を囲むように形成されて前記遊技盤の背面側に取り付けられて構成されており、前記遊技盤を介して前面側から前記移動装置が視認されないように構成されたことが好ましい。
【０００８】
また、上述の発明において、前記遊技演出部材は板状で且つ略矩形に形成され、前記移動装置は、前記遊技演出部材の左右端部を支持した状態で前記遊技演出部材を上下方向に移動させるように構成されており、前記遊技演出部材の左右幅が、前記表示開口部の左右幅よりも大きくなるように形成されたことが好ましい。
【０００９】
さらに、上述の発明において、前記移動装置は、前記遊技演出部材を下方向に移動させるときに、前記遊技演出部材を自重により落下させて移動させることが好ましい。
【発明の効果】
【００１０】
本発明に係る弾球遊技機によれば、遊技盤と表示装置との間隙に設けられた遊技演出部材が、透明もしくは半透明な遊技盤の背面に沿うように移動されるとともに、遊技盤の背面側に位置した遊技演出部材が、遊技盤を介して前面側から視認可能に構成されている。この構成から、例えば表示開口部以外の位置に遊技演出部材を移動させることができ、さらに、このような位置に移動された遊技演出部材を、前面側から遊技者に視認させることが可能となる。よって、従来よりも広い移動範囲内において自由に遊技演出部材を移動させつつ遊技者に視認させることで、迫力を伴った遊技演出部材の演出が可能となり、遊技者の興趣を高めつつ十分に遊技を楽しませることができる。
【００１１】
なお、透明もしくは半透明な遊技盤を介して、前面側から移動装置が視認されないように構成されたことが好ましい。透明もしくは半透明材料を用いて遊技盤を形成することで、遊技盤の背面側に位置した装飾部材等を遊技者に積極的に視認させて、視覚を通じた演出効果を増大させることができる一方で、弾球遊技機の構成要素でありながら装飾効果のない移動装置も同時に遊技者に視認させる結果となってしまう。そこで、この移動装置が視認されないように構成することで、装飾効果の減退を抑えることができ、さらに、例えば装飾が施された部材を用いて移動装置を隠して視認されないように構成することで、装飾効果を一層高めることができる。
【００１２】
また、遊技演出部材は略矩形に形成されて、遊技演出部材の左右幅が表示開口部の左右幅よりも大きく形成されたことが好ましい。このように構成された場合、例えば遊技演出部材が表示開口部の位置に移動されたとき、左右端部の移動装置により支持された部分を前面側から視認させることなく、表示装置により表示された演出画像の一部を遊技演出部材により隠すことができる。よって、遊技演出部材による演出効果を確保しながら、演出画像の一部を隠すもしくは隠さない等の様々なパターンによる演出が可能となる。
【００１３】
さらに、遊技演出部材を下方向に移動させるとき、自重により落下させる構成が好ましい。このように構成すると、迫力を伴って遊技演出部材を下方向へ移動させることができるので、遊技者に対して視覚によるインパクトを与えて興趣が低下することを防止することが可能となる。
【発明を実施するための最良の形態】
【００１４】
以下、本発明の好ましい実施形態である実施例１および実施例２について、図面を参照しながら説明する。
【実施例１】
【００１５】
まず、本発明の好ましい実施形態である実施例１について、以下に説明する。図１に、本発明に係る看板駆動装置を備えた弾球遊技機の代表例としてのパチンコ機ＰＭの正面図を示しており、この図１を参照しながらパチンコ機ＰＭの全体構成について説明する。パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１６】
前枠２の前面側上部には、ガラス扉５が前方に横開き開閉及び着脱可能に取り付けられ、施錠装置４を利用して常には前枠２の前面を覆う閉止状態に保持される。ガラス扉５の背後に位置する前枠上部には、後述する遊技盤４０（遊技本体装置１０）を着脱可能に収容する収容部（図示せず）が設けられており、この収容部に立設姿勢で係止保持された遊技盤４０がガラス扉５を通して視認されるようになっている。
【００１７】
前枠２の前面における上記ガラス扉５の下側には、遊技球を貯留する上球皿６が取り付けられており、この上球皿６の下側には下球皿７および発射ハンドル８が取り付けられている。また、上球皿６に前面側が覆われた前枠２の下部領域には遊技補助盤（図示せず）と称される補助機構部が形成されており、この遊技補助盤には、遊技盤４０の遊技領域ＰＡ内に遊技球を発射する遊技球発射装置（図示せず）等が設けられている。
【００１８】
なお、前枠２の背面側には、裏セット盤（図示せず）が揺動開閉および着脱可能に取り付けられており、この裏セット盤には、図示省略するが、入賞状態等に基づいて遊技球を払い出す球払出装置および、球払出装置から払い出された遊技球を上球皿６に導く球払出通路等の遊技球の処理機構や、パチンコ機ＰＭの作動を制御する制御装置等が配設されている。
【００１９】
パチンコ機ＰＭは、前枠２やガラス扉５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技領域ＰＡに打ち出され、パチンコゲームが展開される。
【００２０】
次に、パチンコ機ＰＭの内部に設けられた遊技本体装置１０について、図２〜図５を参照しながら説明する。なお、図２に遊技本体装置１０の正面図を、図３に遊技本体装置１０の側面図を、図４に遊技本体装置１０の分解斜視図を、図５に図３中のＶ−Ｖ部分の断面図を、それぞれ示している。
【００２１】
遊技本体装置１０は、図４に示すように、遊技盤４０、背面側装飾部材５０、看板駆動装置６０、液晶表示パネル８０およびカバー部材９０を主体に構成され、遊技盤４０の背面に対して背面側装飾部材５０、看板駆動装置６０および液晶表示パネル８０が順に取り付けられ、これらがカバー部材９０で覆われている。
【００２２】
遊技盤４０は、ポリカーボネート（ＰＣ）やＡＢＳ樹脂等といった透明もしくは半透明の樹脂材料を用いて略矩形平板状に形成され、その中央近傍に視認開口４５が形成されている。また、遊技盤４０の前面側に形成された遊技領域ＰＡには、遊技構成部品として、視認開口４５の周囲に設けられたセンター役物４１、多数本の遊技釘４２、始動入賞装置４３、および可動入賞装置４４等が取り付けられている。なお、始動入賞装置４３に遊技球が入賞することで抽選手段（図示せず）において抽選が行われ、その抽選結果に応じて可動入賞装置４４の作動が開始されるように構成されている。
【００２３】
背面側装飾部材５０は、不透明（有色）の部材を用いて板状に形成されるとともに、その下端から上方に向けて視認開口５１が形成されて、上記遊技盤４０の背面側に取り付けられている。また、背面側装飾部材５０は、看板駆動装置６０と略同一形状に形成されており、看板駆動装置６０が背面側装飾部材５０を挟んだ状態で遊技盤４０に取り付けられることで、看板駆動装置６０の前面側が背面側装飾部材５０により覆われるようになっている（図５参照）。よって、前面側から看板駆動装置６０が視認されないようになっている。なお、背面側装飾部材５０の前面側には、図２に示すように演出用の装飾が施されており、その一部がガラス扉５を通して前面側から視認できるようになっている。
【００２４】
液晶表示パネル８０は、遊技展開に応じた演出画像が表示される液晶パネルであり、その演出画像は、ガラス扉５を通して前面側から遊技者が視認できるようになっている。収容部材９０は、前面側が開口した略箱状に形成され、遊技盤４０の背面側に取り付けられた背面側装飾部材５０、看板駆動装置６０および液晶表示パネル８０を覆う形状となっている。
【００２５】
看板駆動装置６０について、図６〜図８を追加参照しながら説明する。図６は看板駆動装置６０の斜視図を、図７は駆動モータ６２の近傍を上方から見た図を、図８は球支持装置７０Ｌを上方から見た図を、それぞれ示している。
【００２６】
看板駆動装置６０は、図６に示すように、装飾看板６１、駆動モータ６２、位置検出センサ６８ａ，６８ｂ，６８ｃ、および球支持装置７０Ｒ，７０Ｌ等を主体に構成され、その外周部が２点鎖線で示すカバー部材６９で覆われている。上記カバー部材６９には、その下端から上方に向けて視認開口６９ａが形成されている。
【００２７】
図７を用いて、駆動モータ６２を含めた駆動部分の構成を説明する。駆動モータ６２の出力軸６２ａに、駆動歯車６２ｂが取り付けられており、この駆動歯車６２ｂと歯車６７ａとが噛合している。上記歯車６７ａが取り付けられた支持軸６７ｂに対して、巻き取り部６７ｃを備えた歯車６７が取り付けられている。この歯車６７の側方に、巻き取り部６４ａを備えた歯車６４が配設され、歯車６７と歯車６４とが噛合している。巻き取り部６４ａには、滑車６５を介して下方に延びたワイヤー６３が巻き取られるように構成されている。なお、歯車６７と歯車６４とは、同一形状のものが用いられている。
【００２８】
図６に示すように、ワイヤー６３の先端部（下端部）には装飾看板６１が固定され、また、ワイヤー６３には例えばその先端側から所定間隔おきに、係止球６３ａ，６３ｂ，６３ｃが固定されている。装飾看板６１は、平板状に形成されるとともに、その正面側に例えばパチンコ機ＰＭの機種名等が表示されており、ガラス扉５を通して視認できるようになっている。また、装飾看板６１の左右幅は、図５に示すように、遊技盤４０に形成された視認開口４５、背面側装飾部材５０に形成された視認開口５１および液晶表示パネル８０の左右幅よりも大きく形成されている。よって、装飾看板６１は、後述するようにその上下位置に応じて、センター役物４１の中央開口部（視認開口４５）の左右幅全体にわたって液晶表示パネル８０の表示画像を隠すことができ、液晶表示パネル８０の画像表示制御と連動させることで、シャッターとしての機能を果たすことも可能である。
【００２９】
位置検出センサ６８ａ，６８ｂ，６８ｃはそれぞれ、発光部および受光部が一対となって構成され、カバー部材６９の内側に取り付けられている。例えば、装飾看板６１が後述する下位置Ａに位置したとき（図１０参照）、位置検出センサ６８ａにおける発光部から発射された検査光が、装飾看板６１の端部（図６に示すハッチングを施した検出領域Ｋ）により遮られて受光部で受光されない状態が検出されることで、装飾看板６１が下位置Ａに位置したことが検出される。なお、上記と同様にして、装飾看板６１が中位置Ｂに位置したことが位置検出センサ６８ｂにより検出され、上位置Ｃに位置したことが位置検出センサ６８ｃにより検出できるようになっている。
【００３０】
図８（ａ）および図８（ｂ）を用いて、上記滑車６５の下方に配設された球支持装置７０Ｌについて説明する。球支持装置７０Ｌは、一対の支持ブロック７１，７３、電磁石７２，７４、および付勢ばね７５，７６から構成される。一対の支持ブロック７１，７３は、例えば金属材料を用いて形成され、互いに対向した面には、上記係止球６３ａの半径よりも僅かに小さな半径で凹んだ支持溝７１ａ，７３ａが形成されている。また支持ブロック７１，７３の両側面には、付勢ばね７５，７６が取り付けられて、支持ブロック７１，７３が互いに当接する方向に付勢されている。
【００３１】
電磁石７２，７４は、例えば通電させることで一時的に磁力を発生させることができるように構成されており、支持ブロック７１，７３に対して所定間隔を空けて配設されている。このような構成から、電磁石７２，７４が通電されていない状態において、支持ブロック７１，７３は、付勢ばね７５，７６により付勢されて互いに当接している（図８（ａ）参照）。一方、電磁石７２，７４が通電されると、支持ブロック７１，７３は、付勢ばね７５，７６の付勢力に抗して電磁石７２，７４に引き寄せられる（図８（ｂ）参照）。
【００３２】
なお、図６から分かるように、看板駆動装置６０は左右対称に構成されており、巻き取り部６７ｃには、滑車６８を介して下方に延びたワイヤー６６が巻き取られるように構成され、ワイヤー６６の先端部に装飾看板６１が固定されている。このワイヤー６６には、先端側から係止球６６ａ，６６ｂ，６６ｃが固定されている。球支持装置７０Ｒは、上述の球支持装置７０Ｌと同一構成となっており、ここでの説明は省略する。
【００３３】
このように構成された遊技本体装置１０の制御系統図を、図９に示す。位置検出センサ６８ａ，６８ｂ，６８ｃにおいて得られた検出結果は、上記の制御装置に入力される。制御装置は、入力された上記検出結果を基に、上述の駆動モータ６２、電磁石７２，７４に対して作動信号を出力して、これらの作動を制御するようになっている。
【００３４】
以上ここまでは、パチンコ機ＰＭ（遊技本体装置１０）の構成について説明したが、以下において、本発明の特徴的構成である看板駆動装置６０の作動について、図１０を追加参照しながら説明する。なお、図１０は遊技本体装置１０の正面図であり、看板駆動装置６０により装飾看板６１が下位置Ａ、中位置Ｂおよび上位置Ｃに移動された状態を併せて示している。
【００３５】
以下の説明においては、パチンコゲーム開始時に上位置Ｃに位置した装飾看板６１が、遊技状態の移行に応じて中位置Ｂに移動した後で下位置Ａに移動し、さらに、下位置Ａから中位置Ｂに移動した後に上位置Ｃに移動する場合を例示している。実際にパチンコゲームが展開されるとき、遊技状態の移行に応じて様々な装飾看板６１の移動パターンが存在し得る。
【００３６】
パチンコゲーム開始時、例えば係止球６３ａ，６６ａがそれぞれ球支持装置７０Ｒ，７０Ｌに支持されて、装飾看板６１は上位置Ｃに位置しており、位置検出センサ６８ｃによりこの状態が検出されて検出結果が制御装置に出力されている。この上位置Ｃにおいて、装飾看板６１の上部は遊技盤４０の背面側に入り込んだ状態となっているが、上述のように遊技盤４０は透明な材料を用いて形成されているので、遊技者は、この装飾看板６１の上部を含めて装飾看板６１の全体を視認可能となっている。
【００３７】
そして、パチンコゲームが展開されていく途中で、打ち込まれた遊技球が例えば始動入賞装置４３に入賞する等して所定の遊戯状態に移行すると、制御装置は電磁石７２，７４に対して作動信号を出力して、一瞬磁力を発生させる。この磁力により、支持ブロック７１，７３は一瞬電磁石７２，７４に引き寄せられ（図８（ｂ）参照）、その後すぐにもとの状態に戻る（図８（ａ）参照）。この支持ブロック７１，７３が電磁石７２，７４に引き寄せられた一瞬の間において、装飾看板６１はその自重により落下する。そして、もとの当接した状態となった支持ブロック７１，７３により、係止球６３ｂ，６６ｂが支持され、装飾看板６１が中位置Ｂに位置した状態となる。この中位置Ｂに位置させることで、例えば液晶表示パネル８０に表示された演出画像の一部を隠すシャッターの役割を果たすことができて、遊技者に対して視覚的な演出が可能となる。また、装飾看板６１を自重により落下させることで、インパクトを伴った移動を演出することができて、興趣を高めて遊技を十分に楽しませることが可能である。
【００３８】
上記状態において引き続きパチンコゲームが展開されて、遊技球がさらに始動入賞装置４３に入賞する等して所定の遊戯状態に移行すると、制御装置は電磁石７２，７４に対して再び作動信号を出力して、一瞬磁力を発生させる。上述と同様に、装飾看板６１を自重により落下させて、係止球６３ｃ，６６ｃが支持ブロック７１，７３に支持されて、装飾看板６１が下位置Ａに位置した状態となる。この下位置Ａにおいて、装飾看板６１の下端部が可動入賞装置４４の近傍に位置しているが、可動入賞装置４４の背面側に設けられた遊技球通路とは、干渉しない構成となっている。また、下位置Ａにおいて、装飾看板６１の大部分が遊技盤４０の背面側に入り込んだ状態となっているが、上述のように遊技盤４０は透明な材料を用いて形成されているので、遊技者は装飾看板６１の全体を視認可能となっている。このように、中位置Ｂから下位置Ａへ装飾看板６１をさらに落下させることで、遊技者に対し視覚を通じて、より一層入賞への期待感を持たせながら興趣を高めることが可能となっている。
【００３９】
引き続きパチンコゲームが展開され、装飾看板６１が下位置Ａに位置した状態で所定の遊戯状態に移行すると、上述とは逆に装飾看板６１が、例えば下位置Ａから中位置Ｂに上昇される。このときの看板駆動装置６０の作動について説明すると、支持ブロック７１，７３が通電された電磁石７２，７４に引き寄せられた状態において、駆動モータ６２が駆動され、巻き取り部６４ａ，６７ｃにワイヤー６３，６６が徐々に巻き取られる。上述のように、歯車６７と歯車６４とは同一形状なので、装飾看板６１の両端部を同期させて上昇させることができ、上昇中に装飾看板６１が斜めに傾いた状態となることを防止できるようになっている。
【００４０】
そして、装飾看板６１が中位置Ｂに位置したことが、位置検出センサ６８ｂにより検出されて、検出結果が制御装置に出力されることで、制御装置は、駆動モータ６２の駆動を停止させるとともに電磁石７２，７４への通電を遮断させる。そうすることで、係止球６３ｂ，６６ｂがそれぞれ球支持装置７０Ｒ，７０Ｌに支持されて、装飾看板６１を中位置Ｂに位置させることができる。さらに、パチンコゲームが展開され、装飾看板６１が中位置Ｂに位置した状態で所定の遊戯状態に移行すると、上述と同様にして装飾看板６１が中位置Ｂから上位置Ｃに上昇される。
【００４１】
このように、実施例１に係るパチンコ機ＰＭにおいては、遊技盤４０に形成された視認開口４５（液晶表示パネル８０の表示領域）を超えて、広範囲にわたって装飾看板６１を移動させるとともに、その移動された装飾看板６１を、透明な遊技盤４０を介して遊技者に視認させることができるので、視覚を通じて興趣を高める演出が可能となる。なお、例えば装飾看板６１の左右両端から、装飾看板６１に向けてＬＥＤ照明による電飾を行うとともに、装飾看板６１の上下位置に応じてその電飾の色彩を変化させることで、より効果的に視覚を通じた演出が可能となる。
【実施例２】
【００４２】
以下に、本発明の好ましい実施形態である実施例２について説明する。なお、以下に説明する実施例２は、上述の実施例１における看板駆動装置６０の構成を変更している点を除いては、実施例１と同一構成となっている。そのため、実施例１と同一部材には同一の番号を付してその説明を省略し、実施例１と異なる看板駆動装置の構成を中心に説明する。
【００４３】
実施例２における看板駆動装置７８の構成について、図１１および図１２を参照しながら説明する。なお、図１１に看板駆動装置７８の斜視図を、図１２に看板駆動装置７８の上部に配設された歯車６４，６７近傍の拡大図を、それぞれ示している。看板駆動装置７８は、装飾看板６１、駆動モータ６２、位置検出センサ６８ａ，６８ｂ，６８ｃ、およびロック歯車７９等を主体に構成され、その外周部が２点鎖線で示したカバー部材６９で覆われている。
【００４４】
ロック歯車７９は、図１２（ａ）に示すアンロック位置と、図１２（ｂ）に示すロック位置とに設定可能となっており、この位置設定は制御装置により行われる。アンロック位置において、ロック歯車７９は歯車６４と噛合した状態となっており、歯車６４の回転に伴って回転可能となっている。一方、ロック位置においては、ロック歯車７９は歯車６４および歯車６７と噛合しており、歯車６４および歯車６７の回転をロックするようになっている。
【００４５】
この看板駆動装置７８により、実施例１と同様に遊技状態に応じて装飾看板６１が、下位置Ａ、中位置Ｂおよび上位置Ｃの各位置に上下移動されて、遊技者の興趣を高めることができるようになっている。看板駆動装置７８の作動に関して、まず、装飾看板６１を例えば上位置Ｃから中位置Ｂに下動させるときについて説明する。この作動が開始される前にロック位置に設定されているロック歯車７９を、アンロック位置に設定した後で、駆動モータ６２を駆動させて装飾看板６１を徐々に下動させる。装飾看板６１が位置検出センサ６８ｂの位置まで下動され、その検出結果が入力された制御装置は、駆動モータ６２の駆動を停止させるとともに、ロック歯車７９をロック位置に設定する。こうすることで、装飾看板６１が中位置Ｂに位置した状態で保持されるようになっている。
【００４６】
次に、上記とは逆に、例えば下位置Ａから中位置Ｂに、装飾看板６１が上動させるときの作動について説明する。このとき、ロック位置に設定されているロック歯車７９をアンロック位置に設定した後で、駆動モータ６２を駆動させて装飾看板６１を徐々に上動させる。装飾看板６１が位置検出センサ６８ｂの位置まで上動され、中位置Ｂに位置したことが検出されると、制御装置は駆動モータ６２の駆動を停止させるとともに、ロック歯車７９をロック位置に設定する。こうすることで、装飾看板６１が中位置Ｂに位置した状態で保持されるようになっている。
【００４７】
このように、実施例２に係るパチンコ機ＰＭにおいては、上述の実施例１と同様に、装飾看板６１を広範囲にわたって移動させて、視覚を通じて興趣を高める演出が可能となるとともに、装飾看板６１を確実に上下移動させる構成としつつ、看板駆動装置７８をシンプルに構成できるので、製造コストの低減を図ることができる。
【００４８】
上述の実施形態において、遊技状態に応じて装飾看板６１が、下位置Ａ、中位置Ｂおよび上位置Ｃの、３つの上下位置に移動される構成を例示したが、この構成に限定されない。例えば、装飾看板６１を４つ以上の上下位置に位置させる構成や、下位置Ａとおよび上位置Ｃの２つの上下位置に位置させる構成でも良い。なお、上述の実施例１において、ワイヤー６３，６６に対する係止球６３ａ，６３ｂ，６３ｃの固定位置、および固定される係止球の個数は、装飾看板６１を位置させる上下位置に応じて任意に設定可能である。
【００４９】
上述の実施形態において、不透明な背面側装飾部材５０を遊技盤４０の背面側に取り付けて、看板駆動装置６０（７８）が前面側から視認できないようにした構成を例示したが、この構成に限定されない。例えば、背面側装飾部材５０を用いることなく、遊技盤４０の表面もしくは背面に、看板駆動装置６０（７８）が前面側から視認できないように、装飾用の不透明なセルシートを貼り付けても良い。
【００５０】
上述の実施例１において、球保持装置７０Ｌ，７０Ｒを用いて装飾看板６１を所定の上下位置に保持するかわりに、例えば駆動モータとして、回転を停止させた位置から回転させないロック機構を備えた駆動モータを用いて構成することも可能である。また、上述の実施例２においても、ロック歯車７９を用いるかわりに、上記のロック機構を備えた駆動モータを用いて構成することが可能である。
【図面の簡単な説明】
【００５１】
【図１】パチンコ機の正面図である。
【図２】遊技本体装置の正面図である。
【図３】遊技本体装置の側面図である。
【図４】遊技本体装置の分解斜視図である。
【図５】図３中のＶ−Ｖ部分の断面図である。
【図６】実施例１に係る看板駆動装置の斜視図である。
【図７】上記看板駆動装置の駆動モータの近傍を示した平面図である。
【図８】上記看板駆動装置の球支持装置を示した平面図で、（ａ）は係止球を支持した状態を、（ｂ）は係止球の支持を解除した状態を示す。
【図９】パチンコ機の制御系統図である。
【図１０】遊技本体装置の正面図である。
【図１１】実施例２に係る看板駆動装置の斜視図である。
【図１２】上記看板駆動装置の作動説明図で、（ａ）はアンロック位置に設定した状態を、（ｂ）はロック位置に設定した状態を示す。
【符号の説明】
【００５２】
ＰＭ  パチンコ機（弾球遊技機）
ＰＡ  遊技領域
４０  遊技盤
４５  視認開口（表示開口部）
６０  看板駆動装置（移動装置）
６１  装飾看板（遊技演出部材）
８０  液晶表示パネル（表示装置）
【図１】
2010046422.tif 000003
【図２】
2010046422.tif 000004
【図３】
2010046422.tif 000005
【図４】
2010046422.tif 000006
【図５】
2010046422.tif 000007
【図６】
2010046422.tif 000008
【図７】
2010046422.tif 000009
【図８】
2010046422.tif 000010
【図９】
2010046422.tif 000011
【図１０】
2010046422.tif 000012
【図１１】
2010046422.tif 000013
【図１２】
2010046422.tif 000014